(57)【特許請求の範囲】
【請求項１】
内容物が収容される容器本体と、
該容器本体に着脱自在に装着された蓋体と、
内容物を保持する保持部、および該保持部に基端側部分が連結された柄部を有するとともに、前記蓋体に着脱自在に装着された取出し具と、を備える取出し具付き容器であって、
前記蓋体には、
前記柄部の基端側部分が固定され、前記柄部の幅方向への移動を規制する固定部と、
該蓋体の平面視において、前記固定部を挟むように前記柄部の中心軸と同軸の仮想軸線上に配置された一対の突出部と、が設けられ、
前記保持部には、前記平面視において前記仮想軸線上に配設された逃げ部が設けられ、
前記逃げ部は、前記保持部が、その突端部分が前記仮想軸線を回避するように前記柄部から前記仮想軸線方向に突設されることにより形成され、
前記一対の突出部のうちのいずれか一方が前記柄部の先端側部分を支持した状態で、他方が前記逃げ部に進入して前記保持部に当接するのを回避していることを特徴とする取出し具付き容器。
【請求項２】
請求項１記載の取出し具付き容器であって、
前記固定部には、前記蓋体に立設され、前記柄部の基端側部分に前記幅方向の両側から近接または当接する一対の側部材が備えられていることを特徴とする取出し具付き容器。
【請求項３】
請求項２記載の取出し具付き容器であって、
前記一対の側部材の間には、前記柄部の基端側部分のうち、最も保持部側に位置する基端部が配置され、
前記保持部における前記柄部の基端部との連結部分は、該柄部の基端部よりも前記幅方向の外側に張り出していることを特徴とする取出し具付き容器。
【請求項４】
請求項２または３に記載の取出し具付き容器であって、
前記一対の側部材同士は、前記蓋体に立設されたリブ部材により連結され、
前記柄部の基端側部分は、前記リブ部材により支持されていることを特徴とする取出し具付き容器。
【発明の詳細な説明】
【技術分野】
【０００１】
本発明は、取出し具付き容器に関する。
【背景技術】
【０００２】
従来から、例えば下記特許文献１に記載されたような取出し具付き容器が知られている。該取出し具付き容器は、内容物が収容された容器本体と、該容器本体に着脱自在に装着された蓋体と、内容物を保持する保持部、および該保持部に基端側部分が連結された柄部を有するとともに、蓋体に着脱自在に装着される取出し具と、を備えている。
【先行技術文献】
【特許文献】
【０００３】
【特許文献１】実公平４−４８４０６号公報
【発明の概要】
【発明が解決しようとする課題】
【０００４】
しかしながら、前記従来の取出し具付き容器では、蓋体から離脱させた取出し具を用いて容器本体から内容物を取り出した後、該取出し具を蓋体に再度、装着させると、保持部に残留した内容物が、例えば蓋体の表面などを介して柄部に付着し易く、この場合、取出し具を蓋体から離脱させるときに、柄部が把持し難くなるおそれがあった。
【０００５】
本発明は、前述した事情に鑑みてなされたものであって、その目的は、使用後の取出し具を蓋体に装着させたときに、柄部に内容物が付着するのを抑えることができる取出し具付き容器を提供することである。
【課題を解決するための手段】
【０００６】
前記課題を解決するために、本発明は以下の手段を提案している。
本発明に係る取り出し具付き容器は、内容物が収容される容器本体と、該容器本体に着脱自在に装着された蓋体と、内容物を保持する保持部、および該保持部に基端側部分が連結された柄部を有するとともに、前記蓋体に着脱自在に装着された取出し具と、を備える取出し具付き容器であって、前記蓋体には、前記柄部の基端側部分が固定され、前記柄部の幅方向への移動を規制する固定部と、該蓋体の平面視において、前記固定部を挟むように前記柄部の中心軸と同軸の仮想軸線上に配置された一対の突出部と、が設けられ、前記保持部には、前記平面視において前記仮想軸線上に配設された逃げ部が設けられ、前記逃げ部は、前記保持部が、その突端部分が前記仮想軸線を回避するように前記柄部から前記仮想軸線方向に突設されることにより形成され、前記一対の突出部のうちのいずれか一方が前記柄部の先端側部分を支持した状態で、他方が前記逃げ部に進入して前記保持部に当接するのを回避していることを特徴とする。
【０００７】
この発明では、一対の突出部が、前記平面視において固定部を挟むように配置され、かつ保持部に、前記逃げ部が設けられているので、一対の突出部のうちのいずれの突出部に柄部の先端側部分を支持させても、他方の突出部を逃げ部内に進入させて該他方の突出部が保持部に当接するのを回避することが可能になり、保持部に残留した内容物が突出部に付着するのを抑えることができる。また、取出し具を表裏反転させたとしても、同様の作用効果を奏功させることができる。
さらに、突出部により柄部の先端側部分を支持することで、先端側部分を蓋体の表面から離間させることが可能になり、内容物が、蓋体の表面を介して先端側部分に付着するのを抑えることもできる。
以上より、取出し具を蓋体に繰り返し着脱させても、柄部の先端側部分に内容物が付着するのを抑えることができる。なおこれにより、柄部の先端側部分が把持し難くなるのを抑制することも可能になり、蓋体から取出し具を離脱させ易くすることもできる。
【０００８】
また、前記固定部には、前記蓋体に立設され、前記柄部の基端側部分に前記幅方向の両側から近接または当接する一対の側部材が備えられていてもよい。
【０００９】
この場合、固定部に、前記一対の側部材が備えられているので、取出し具を蓋体に装着させるときに、取出し具の蓋体に対する前記幅方向の位置を容易に合わせることができる。これにより、例えば、取出し具を蓋体に装着させるときに、柄部の先端側部分が突出部からずれて蓋体の表面に当接するのを抑制すること等が可能になり、柄部の先端側部分に内容物が付着するのを一層抑えることができる。
【００１０】
また、前記一対の側部材の間には、前記柄部の基端側部分のうち、最も保持部側に位置する基端部が配置され、前記保持部における前記柄部の基端部との連結部分は、該柄部の基端部よりも前記幅方向の外側に張り出していてもよい。
【００１１】
この場合、保持部の前記連結部分が、柄部の基端部よりも前記幅方向の外側に張り出しているので、保持部の前記連結部分と固定部の側部材とを、柄部の中心軸方向に係合させることが可能になり、取出し具の前記中心軸方向の位置を安定させ易くすることができる。
【００１２】
また、前記一対の側部材同士は、前記蓋体に立設されたリブ部材により連結され、前記柄部の基端側部分は、前記リブ部材により支持されていてもよい。
【００１３】
この場合、一対の側部材が、前記リブ部材により連結されているので、側部材を補強することが可能になり、これらの側部材により柄部の前記幅方向の移動を確実に規制することができる。
また、柄部の基端側部分が、リブ部材により支持されているので、突出部とリブ部材との双方により柄部を支持して柄部の姿勢を安定させることが可能になり、柄部の先端側部分を蓋体の表面から確実に離間させることができる。
【発明の効果】
【００１４】
本発明に係る取出し具付き容器によれば、使用後の取出し具を蓋体に装着させたときに、柄部に内容物が付着するのを抑えることができる。
【図面の簡単な説明】
【００１５】
【図１】本発明の一実施形態に係る取出し具付き容器の縦断面図である。
【図２】図１に示す取出し具付き容器を構成する要部の上面図である。
【図３】図１に示す取出し具付き容器を構成する要部の斜視図である。
【図４】図１に示す取出し具付き容器を構成する中蓋の斜視図である。
【図５】図１に示す取出し具付き容器を構成する要部の上面図である。
【図６】図１に示す取出し具付き容器を構成する要部の斜視図である。
【発明を実施するための形態】
【００１６】
以下、図面を参照し、本発明の一実施形態に係る取出し具付き容器を説明する。
図１に示すように、取出し具付き容器１０は、内容物が収容される容器本体１１と、該容器本体１１に着脱自在に装着される蓋体１２と、内容物を保持する保持部１３、および該保持部１３に基端側部分１４ａが連結された柄部１４を有するとともに、蓋体１２に着脱自在に装着された取出し具１５と、を備えている。
なお、容器本体１１および蓋体１２の各中心軸線は、共通軸上に位置している。以下、この共通軸を容器軸Ｏ１といい、容器軸Ｏ１に沿って蓋体１２側を上側といい、その反対側を下側といい、容器軸Ｏ１に直交する方向を径方向といい、容器軸Ｏ１回りに周回する方向を周方向という。
【００１７】
容器本体１１は、有底筒状の胴部１６と、胴部１６から上方に向けて延設された口部１７と、胴部１６を径方向の外側から囲繞する被覆筒部１８と、を備えている。
被覆筒部１８の下端は、胴部１６の下端よりも下方に位置しており、被覆筒部１８の上端は、この上端から径方向の内側に向けて突設された連結環部１９を介して胴部１６の上端に連結されている。
【００１８】
蓋体１２は、容器本体１１の口部１７内に配設された中蓋２０と、中蓋２０を覆うオーバーキャップ２１と、を備えている。
オーバーキャップ２１は、容器本体１１の口部１７にその外周面側から螺着されている。オーバーキャップ２１内には、外周縁が前記口部１７の開口端縁上に液密に当接するシール部材２２（例えばパッキン等）が嵌合されており、オーバーキャップ２１の頂壁部の外周縁は、シール部材２２の外周縁を介して前記口部１７の開口端縁上に配置されている。
【００１９】
中蓋２０は、容器本体１１の口部１７内に着脱可能に嵌合された皿状に形成され、中蓋２０の上端には、前記口部１７の開口端縁に形成され径方向の内側に向けて開口する係合溝部２３内に配置された係合突起２４が、径方向の外側に向けて突設されている。
ここで図２に示すように、中蓋２０内には、前記取出し具１５が、該中蓋２０の平面視において前記柄部１４の中心軸が容器軸Ｏ１上を通過するように収容されている。そして中蓋２０には、柄部１４の基端側部分１４ａが固定される固定部２５と、前記平面視において固定部２５を挟むように配置された一対の突出部２６と、が設けられている。
【００２０】
固定部２５は、容器軸Ｏ１上に配置されており、柄部１４の幅方向への移動を規制する。固定部２５には、中蓋２０に立設され、柄部１４の基端側部分１４ａに前記幅方向の両側から近接または当接する一対の側部材２７が備えられている。図２から図４に示すように、一対の側部材２７は、表裏面が容器軸Ｏ１方向に沿って延在する同形同大の板状に形成され、これらの側部材２７の表面同士は、容器軸Ｏ１を間に挟んで互いに対向している。
【００２１】
また図２に示すように、一対の側部材２７同士は、中蓋２０に立設されたリブ部材２８により連結されている。リブ部材２８は、容器軸Ｏ１上に配置されるとともに表裏面が容器軸Ｏ１方向に沿って延在する板状に形成され、前記平面視において各側部材２７の表面に直交する方向に延在し、リブ部材２８の両側端は、各側部材２７に各別に連結されている。また図３および図４に示すように、リブ部材２８における中蓋２０の表面からの突出量は、側部材２７における中蓋２０の表面からの突出量よりも小さくなっている。
【００２２】
図２に示すように、一対の突出部２６は、前記平面視において、柄部１４の中心軸と同軸の仮想軸線Ｏ２上に配置されている。これらの突出部２６は、径方向に沿って延在する板状に形成されるとともに、容器軸Ｏ１を径方向に挟んで中蓋２０の外周縁部に各別に配設されており、図３および図４に示すように、突出部２６における中蓋２０の表面からの突出量は、径方向の内側から外側に向かうに従い漸次、大きくなっている。突出部２６における径方向の外端部の上端は、中蓋２０の上端よりも下方に位置するとともに、突出部２６における径方向の外端部は、容器軸Ｏ１方向の全長にわたって中蓋２０の内周面に連結されている。さらに、突出部２６における径方向の外端部の前記突出量は、リブ部材２８の前記突出量よりも大きくなっている。
【００２３】
また中蓋２０には、該中蓋２０を容器本体１１の口部１７から離脱させるときに摘む摘み片２９が設けられている。摘み片２９は、中蓋２０の外周縁部において、一対の突出部２６それぞれから周方向に沿って同等の距離、離間した部分に配設されている。
【００２４】
図２および図３に示すように、取出し具１５の柄部１４は、表裏面が径方向に沿う板状に形成されており、柄部１４の基端側部分１４ａのうち、最も保持部側に位置する基端部が、一対の側部材２７の間に配設されている。また柄部１４は、前記仮想軸線Ｏ２方向（柄部の中心軸方向）の全長にわたって、前記幅方向の大きさが同等となっているとともに、柄部１４の先端側部分１４ｂの表面には、すべり止め部１４ｃが設けられている。そして図１に示すように、柄部１４の先端側部分１４ｂの先端縁は、一対の突出部２６のうちの一方の突出部２６における径方向の外端部に支持されるとともに、柄部１４の基端部は、リブ部材２８により支持されており、柄部１４は、先端縁から基端部に向かうに従い漸次、下方に向かっている。またこれにより、前記仮想軸線Ｏ２は、容器軸Ｏ１に直交する直交面に対して傾斜して延在している。
【００２５】
保持部１３は、柄部１４から前記仮想軸線Ｏ２方向に沿って突設され、表裏面が柄部１４の表裏面に面一に連結された板状に形成されている。
図２に示すように、保持部１３における柄部１４の前記基端部との連結部分は、柄部１４の基端部よりも前記幅方向の外側に張り出している。本実施形態では、前記平面視において、保持部１３の前記連結部分は、前記仮想軸線Ｏ２上に配設されており、この連結部分における両側端面は、前記仮想軸線Ｏ２を前記幅方向に挟んで配置されている。これらの両側端面のうち、一方の側端面は、柄部１４の基端部の側端面よりも外側に位置しており、他方の側端面は、柄部１４の基端部の側端面と面一となっている。
【００２６】
そして本実施形態では、保持部１３には、一対の突出部２６のうちのいずれか一方が柄部１４の先端側部分１４ｂを支持した状態で、他方が進入する逃げ部３０が設けられている。逃げ部３０は、前記平面視において前記仮想軸線Ｏ２上に配設されており、本実施形態では、逃げ部３０は、保持部１３が、その突端部分が前記仮想軸線Ｏ２を回避するように柄部１４から突設されることにより形成されている。図示の例では、保持部１３において逃げ部３０を画成する壁面３０ａは、前記平面視において、保持部１３の前記連結部分における前記他方の側端面から前記仮想軸線Ｏ２に対して傾斜して延在し、前記仮想軸線Ｏ２を前記幅方向に跨いでおり、この壁面３０ａは、突出部２６に前記幅方向に隣接している。そして図１に示すように、保持部１３の前記突端部分は、前記中蓋２０の表面に近接または当接している。
【００２７】
なお図２に示すように、保持部１３の表面には、広浅状の凹部３１が設けられ、本実施形態では、取出し具１５は、内容物を掬い取る匙状に構成されている。
【００２８】
以上説明したように、本実施形態に係る取出し具付き容器１０によれば、一対の突出部２６が、前記平面視において固定部２５を挟むように配置され、かつ保持部１３に、前記逃げ部３０が設けられているので、図２、図３、図５および図６に示すように、一対の突出部２６のうちのいずれの突出部２６に柄部１４の先端側部分１４ｂを支持させても、他方の突出部２６を逃げ部３０内に進入させて該他方の突出部２６が保持部１３に当接するのを回避することが可能になり、保持部１３に残留した内容物が突出部２６に付着するのを抑えることができる。また、取出し具１５を表裏反転させたとしても、同様の作用効果を奏功させることができる。
さらに、突出部２６により柄部１４の先端側部分１４ｂを支持することで、先端側部分１４ｂを中蓋２０の表面から離間させることが可能になり、内容物が、中蓋２０の表面を介して先端側部分１４ｂに付着するのを抑えることもできる。
以上より、取出し具１５を蓋体１２に繰り返し着脱させても、柄部１４の先端側部分１４ｂに内容物が付着するのを抑えることができる。なおこれにより、柄部１４の先端側部分１４ｂが把持し難くなるのを抑制することも可能になり、蓋体１２から取出し具１５を離脱させ易くすることもできる。
【００２９】
また固定部２５に、前記一対の側部材２７が備えられているので、取出し具１５を蓋体１２に装着させるときに、取出し具１５の蓋体１２に対する前記幅方向の位置を容易に合わせることができる。これにより、例えば、取出し具１５を蓋体１２に装着させるときに、柄部１４の先端側部分１４ｂが突出部２６からずれて中蓋２０の表面に当接するのを抑制すること等が可能になり、柄部１４の先端側部分１４ｂに内容物が付着するのを一層抑えることができる。
さらに一対の側部材２７が、前記リブ部材２８により連結されているので、側部材２７を補強することが可能になり、これらの側部材２７により柄部１４の前記幅方向の移動を確実に規制することができる。
【００３０】
また図１に示すように、柄部１４の基端側部分１４ａが、リブ部材２８により支持されているので、突出部２６とリブ部材２８との双方により柄部１４を支持して柄部１４の姿勢を安定させることが可能になり、柄部１４の先端側部分１４ｂを中蓋２０の表面から確実に離間させることができる。
【００３１】
また図２に示すように、保持部１３の前記連結部分が、柄部１４の基端部よりも前記幅方向の外側に張り出しているので、保持部１３の前記連結部分と固定部２５の側部材２７とを、前記仮想軸線Ｏ２方向に係合させることが可能になり、取出し具１５の前記仮想軸線Ｏ２方向の位置を安定させ易くすることができる。
【００３２】
なお、本発明の技術的範囲は前記実施形態に限定されるものではなく、本発明の趣旨を逸脱しない範囲において種々の変更を加えることが可能である。
例えば、被覆筒部１８、シール部材２２、摘み片２９、すべり止め部１４ｃ、および凹部３１はなくてもよい。
また前記実施形態では、保持部１３の前記連結部分は、柄部１４の基端部よりも前記幅方向の外側に張り出しているものとしたが、張り出していなくてもよい。
【００３３】
また前記実施形態では、リブ部材２８を備えているものとしたが、リブ部材２８はなくてもよい。
さらに前記実施形態では、固定部２５に一対の側部材２７が備えられているものとしたが、これに限られない。例えば、固定部２５を１つの柱状部材により形成し、柄部１４の基端側部分１４ａに、柱状部材が挿通される挿通孔が形成された構成を採用することも可能である。
さらにまた、前記実施形態では、突出部２６における中蓋２０の表面からの突出量は、径方向の内側から外側に向かうに従い漸次、大きくなっているものとしたが、これに限られるものではなく、径方向の位置によらず同等であってもよい。
【００３４】
また逃げ部３０は、前記実施形態に示したものに限られず、例えば、保持部１３を容器軸Ｏ１方向に貫通するとともに前記仮想軸線Ｏ２に沿って延在する細溝状などに形成することも可能である。この場合、取出し具として、例えばいわゆる先割れスプーン等を好適に採用することも可能である。
さらに前記実施形態では、一対の突出部２６を板状に形成するものとしたが、これに限られるものではなく、例えば柱状に形成してもよい。
【００３５】
また前記実施形態では、前記平面視において、柄部１４の中心軸が容器軸Ｏ１上を通過するものとしたが、容器軸Ｏ１上を通過していなくてもよい。
さらに前記実施形態では、取出し具１５は、中蓋２０内に収容されているものとしたが、これに限られるものではない。例えば、オーバーキャップ２１に固定部および突出部が設けられていてもよく、この場合、中蓋２０はなくてもよい。
【００３６】
また前記実施形態では、取出し具１５の保持部１３および柄部１４がそれぞれ板状に形成されているものとしたが、これに限られない。例えば、取出し具１５が棒状に形成されていたり、保持部１３が皿状に形成されていたりしてもよい。
さらに取出し具１５は、前記実施形態に示したものに限られず、例えばフォーク状の構成なども採用することが可能である。
【００３７】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００３８】
１０  容器
１１  容器本体
１２  蓋体
１３  保持部
１４  柄部
１４ａ  基端側部分
１４ｂ  先端側部分
１５  取出し具
２５  固定部
２６  突出部
２７  側部材
２８  リブ部材
３０  逃げ部
【図１】
0005677199.tif 000002
【図２】
0005677199.tif 000003
【図３】
0005677199.tif 000004
【図４】
0005677199.tif 000005
【図５】
0005677199.tif 000006
【図６】
0005677199.tif 000007